(57)【特許請求の範囲】
【請求項１】
鏡筒が取付けられるフロントパネルと、
フロントパネルに対して後方に取付けられるリヤパネルと、
フロントパネルまたはリヤパネルに連設されているボトムパネルと、
前記フロントパネルと前記リヤパネルとの間において前記ボトムパネル上に取付けられる上ケースと、
を具備し、
前記ボトムパネルが連設されている前記フロントパネルまたは前記リヤパネルが合成樹脂または金属成形体から成り、しかも前記ボトムパネルはその横方向の両側にリブを備え、該リブの内側が傾斜して前後方向に沿って抜き勾配がついており、
前記上ケースの横方向の両側の下端部のボトムパネルとの係合部の外側が前後方向に対して傾斜して前記ボトムパネルの抜き勾配とほぼ同一の勾配を有し、前記リブの抜き勾配と整合することを特徴とするカメラのキャビネット。
【請求項２】
前記ボトムパネルがフロントパネルに連設されており、しかも前記ボトムパネルの前記リブの傾斜した内側は前記フロントパネル側の根元部分の幅の方が前記ボトムパネルの前記リヤパネル側の先端部の幅よりも小さな寸法になるような抜き勾配がついていることを特徴とする請求項１に記載のカメラのキャビネット。
【請求項３】
前記ボトムパネルの前記リブの内側の傾斜した被係合部が段部から成り、前記上ケースの両側の下端の外側が傾斜した折曲げ部を挿入して係合させるようになっていることを特徴とする請求項２に記載のカメラのキャビネット。
【請求項４】
鏡筒が取付けられるフロントパネルと、
フロントパネルに対して後方に取付けられるリヤパネルと、
フロントパネルまたはリヤパネルに連設されているボトムパネルと、
前記フロントパネルと前記リヤパネルとの間において前記ボトムパネル上に取付けられる上ケースと、
を具備し、
前記上ケースの横方向の両側の下端部に設けられた係合部間の横方向の寸法が前端部と後端部とで異なるとともに、前記ボトムパネルの横方向の両側の被係合部間の横方向の寸法が前記上ケースの係合部と同じく前端部と後端部とで異なっており、前記上ケースを前記ボトムパネルに対して前後方向を逆に組合わせることができないようにしたことを特徴とするカメラのキャビネット。
【請求項５】
前記上ケースの横方向の両側の側板の下端にそれぞれ係合部が形成され、前記フロントパネルまたは前記リヤパネルに連設されているボトムパネルの横方向の両側の被係合部と係合されることを特徴とする請求項４に記載のカメラのキャビネット。
【請求項６】
前記上ケースの係合部が横方向の両側の側板の下端に一体に形成されている折曲げ片であって、該折曲げ片がボトムパネルの両側の被係合部を構成する段部に係合されることを特徴とする請求項４に記載のカメラのキャビネット。
【発明の詳細な説明】
【０００１】
【発明の属する技術分野】
本発明はカメラのキャビネットに係り、とくにフロントパネルとリヤパネルとの間に上カバーを装着するようにしたカメラのキャビネットに関する。
【０００２】
【従来の技術】
撮像部がＣＣＤによって構成されるビデオカメラのキャビネットは、図１５に示すようになっていた。ＣＣＤビデオカメラのキャビネットはフロントパネル１とリヤパネル２とを具備し、これらのパネル１、２間に上方から上カバー３を装着するようにしていた。上カバー３は側面側の固定用ねじ４および上面側の固定用ねじ５によってフロントパネル１とリヤパネル２とに結合されて固着されていた。
【０００３】
このようなビデオカメラのキャビネットにおいて、上カバー１にはその側面あるいは上面に印刷等によって表示が施されており、前後方向に方向性を有するのが通常である。従って上カバー１を前後逆に誤装着してはならない。
【０００４】
上記のような誤装着を防止するために、側面側の固定用ねじ４については、前後の固定用ねじ４の高さ方向の位置を変え、ｐ≠ｑとし、あるいはまた上面側の固定用ねじ５について前後方向の寸法を変え、ｒ≠ｓとしていた。従って上カバー３を前後を逆に装着した場合には、固定用ねじ４、５による螺着が阻止され、逆装着が防止される。
【０００５】
【発明が解決しようとする課題】
このような従来のビデオカメラにおいて、上カバー３の向きを確認してから装着作業を行なうようにしていたが、キャビネットの寸法が小さく、このために側面等に表示される印刷が上カバー３の面に沿ってある場合に、文字を読んで判別する際に前後の判断が困難な場合があり、作業性があまり良くなかった。すなわち表示による前後方向の確認が必ずしも正確に行なわれないという問題があった。
【０００６】
よって上カバー３を前後逆向きにして装着してしまい、後からねじ４、５を締める段階で初めて上カバー３が前後に逆装着されていることに気付く問題があった。そして気付いてから上カバー３を取外して装着の作業をやり直さなければならず、これによる工数が余分にかかる問題があった。
【０００７】
本発明はこのような問題点に鑑みてなされたものであって、ねじを締める段階になって初めて誤装着に気付くような構造ではなく、装着する際に逆方向に組付けられると装着が阻止されるようにした構造を有するカメラのキャビネットを提供することを目的とする。
【０００８】
【課題を解決するための手段】
本願の一発明は、鏡筒が取付けられるフロントパネルと、
フロントパネルに対して後方に取付けられるリヤパネルと、
フロントパネルまたはリヤパネルに連設されているボトムパネルと、
前記フロントパネルと前記リヤパネルとの間において前記ボトムパネル上に取付けられる上ケースと、
を具備し、
前記ボトムパネルが連設されている前記フロントパネルまたは前記リヤパネルが合成樹脂または金属成形体から成り、しかも前記ボトムパネルはその横方向の両側にリブを備え、該リブの内側が傾斜して前後方向に沿って抜き勾配がついており、
前記上ケースの横方向の両側の下端部のボトムパネルとの係合部の外側が前後方向に対して傾斜して前記ボトムパネルの抜き勾配とほぼ同一の勾配を有し、前記リブの抜き勾配と整合することを特徴とするカメラのキャビネットに関するものである。
【０００９】
ここで前記ボトムパネルがフロントパネルに連設されており、しかも前記ボトムパネルの前記リブの傾斜した内側は前記フロントパネル側の根元部分の幅の方が前記ボトムパネルの前記リヤパネル側の先端部の幅よりも小さな寸法になるような抜き勾配がついていてよい。ま前記ボトムパネルの前記リブの内側の傾斜した被係合部が段部から成り、前記上ケースの両側の下端の外側が傾斜した折曲げ部を挿入して係合させるようになっていてよい。
【００１０】
【発明の効果】
本願の別の発明は、鏡筒が取付けられるフロントパネルと、
フロントパネルに対して後方に取付けられるリヤパネルと、
フロントパネルまたはリヤパネルに連設されているボトムパネルと、
前記フロントパネルと前記リヤパネルとの間において前記ボトムパネル上に取付けられる上ケースと、
を具備し、
前記上ケースの横方向の両側の下端部に設けられた係合部間の横方向の寸法が前端部と後端部とで異なるとともに、前記ボトムパネルの横方向の両側の被係合部間の横方向の寸法が前記上ケースの係合部と同じく前端部と後端部とで異なっており、前記上ケースを前記ボトムパネルに対して前後方向を逆に組合わせることができないようにしたことを特徴とするカメラのキャビネットに関するものである。
【００１１】
ここで前記上ケースの横方向の両側の側板の下端にそれぞれ係合部が形成され、前記フロントパネルまたは前記リヤパネルに連設されているボトムパネルの横方向の両側の被係合部と係合されてよい。また前記上ケースの係合部が横方向の両側の側板の下端に一体に形成されている折曲げ片であって、該折曲げ片がボトムパネルの両側の被係合部を構成する段部に係合されてよい。
【００１２】
本願の好ましい態様は、撮像部がＣＣＤによって構成されるビデオカメラのフロントパネルを合成樹脂または金属成形体によって構成するとともに、このフロントパネルに一体に連設されているボトムパネルに抜き勾配を有するリブを形成し、上ケースの嵌込み用係合部を上記ボトムパネルの抜き勾配と同一の勾配としたものである。また本願の別の実施の形態は、上ケースをフロントパネルおよびリヤパネルにそれぞれ係合させる際に、上ケースの前後の係合片の曲げ寸法を不同一とすることによって前後で寸法差を生じさせるようにし、上ケースを前後方向に逆向きに組付けた場合には係合が行なわれないようにした構造である。
【００１３】
このような態様によれば、上ケースを装着する際に間違って逆に組付けた場合には、装着動作が達成されず、このために速やかに誤装着を気付かせることが可能になる。また誤装着を気付かせる従来の構造に比べて上ケースの取外しの工数がかからないという利点を有する。
【００１４】
【発明の実施の形態】
図１および図２は本発明の一実施の形態に係るＣＣＤビデオカメラのキャビネットの構造を示している。図１および図２から明らかなように、このビデオカメラのキャビネットはフロントパネル１１と、リヤパネル１２と、フロントパネル１１の底部側に後方に延びるように連設されているボトムパネル１３と、このボトムパネル１３の上部においてフロントパネル１１とリヤパネル１２との間に装着される上ケース１４とから構成される。なおフロントパネル１１には光学系が取付けられる鏡筒１５が連設されている。
【００１５】
次にフロントパネル１１の構造について説明すると、図３〜図５に示すように、フロントパネル１１の背面側にはその上面から両側面側に延びるように係合用リブ１９が形成されている。またフロントパネル１１の背面側にはその上部に後方に突出するように突片２０が連設されている。突片２０にはねじ孔２１が形成されている。
【００１６】
このようなフロントパネル１１は合成樹脂または金属成形体から構成され、しかもその底部側には後方に突出するようにボトムパネル１３が一体に連設されている。そしてこのボトムパネル１３の幅方向の両側にはそれぞれリブ２４が形成されるとともに、このリブ２４の内側に係合用段部２５が形成されている。ここで係合用段部２５は抜き勾配を有し、図３における根元側の部分の幅ｆの方が先端側の部分の幅ｇよりも小さな寸法になっている。
【００１７】
次にリヤパネル１２の構造を図６〜図８によって説明する。リヤパネル１２は合成樹脂または金属成形体から構成され、その内側の部分に凹部２９が形成されるとともに、この凹部２９を囲むように上面から両側に延びる係合用リブ３０が形成されている。またリヤパネル１２の下側の部分には前方に突出する突片３１が形成されている。突片３１にはねじ孔３２が形成されている。このようなねじ孔３２を有する突片３１が上記ボトムパネル１３と結合されるようになっている。
【００１８】
次に図８〜図１１によってフロントパネル１１とリヤパネル１２との間に装着される上ケース１４について説明すると、上ケース１４は例えば金属板のプレス成形体から構成されており、図９に示すように断面がほぼコ字状の形状をなしている。そしてこのような上ケース１４の両側の下端にはそれぞれ折曲げ片３６が連設されている。また上ケース１４にはその上面であって前端側の部分に凹部３７が形成され、この凹部３７にねじ挿通孔３８が形成されている。さらに上ケース１４にはその上面であって後端側の部分に凹部３９が形成されている。凹部３９にはねじ挿通孔４０が形成されている。
【００１９】
図１２〜図１４はフロントパネル１１、リヤパネル１２、および上ケース１４を結合した状態を示している。組立てはまずフロントパネル１１に後方に突出されて連設されているボトムパネル１３の先端側の部分をリヤパネル１２の突片３１に形成されているねじ孔３２を利用してねじによって結合する。
【００２０】
次いで断面がコ字状をなす上ケース１４を図１に示すように上方からフロントパネル１１とリヤパネル１２との間に装着する。このときに上ケース１４の両側板の下端に形成されている折曲げ片３６をボトムパネル１３の両側に形成されているリブ２４の内側の係合用段部２５に係合させる。そして上ケース１４の凹部３７のねじ挿通孔３８を挿通するねじ４３と凹部３９のねじ挿通孔４０を挿通するねじ４４とによって、上ケース１４をフロントパネル１１とリヤパネル１２とにそれぞれ結合する。
【００２１】
このように本実施の形態に係るＣＣＤビデオカメラのキャビネットは、フロントパネル１１、リヤパネル１２、上ケース１４の３つの部品から構成されており、上ケース１４を上方から図１に示すように下降させるようにして装着して組立てを行なうようにしている。
【００２２】
ここでフロントパネル１１は図２および図４においてＰＬで示すパーティングラインを金型の接合面として射出成形または鋳造成形される。そしてフロントパネル１１の成形時にパーティングラインＰＬから、前後方向への脱型を容易にするために、ボトムパネル１３の両側のリブ２４の係合用段部２５は１．５度の抜き勾配をつけている。このような抜き勾配によって図３に示すように、フロントパネル１１に連設されているボトムパネル１３の係合用段部２５の根元部分の寸法ｆと先端部の寸法ｇとにおいて寸法差が生じ、ｆ＜ｇの関係になっている。
【００２３】
リヤパネル１２は図６および図７に示すように、上ケース１４の側面に外力が加わったときの強度を保つためにリブ３０の外側縁間の幅がｈの値に設定されている。そして上ケース１４の両側板の先端の折曲げ片３６が微小量変形すると、両側板がリブ３０に当接するようになっている。
【００２４】
図８〜図１１に示される上ケース１４の両側の折曲げ片３６はフロントパネル１１に連設されているボトムパネル１３の係合用段部２５の抜き勾配に合わせて前後で寸法差が生じており、図１０に示すように前端側の折曲げ片３６の内のり部分の幅がＬｆに設定され、後端側の幅がＬｂになっている。ここでＬｆはフロントパネル１１のリブ１９の外縁間の幅に等しく、Ｌｂはリヤパネル１２のリブ３０の外縁間の幅に等しくなっている。
【００２５】
フロントパネル１１とリヤパネル１２と上ケース１４とを結合させた場合には図１２〜図１４のような状態で組合わされる。ここでフロントパネル１１とリヤパネル１２とが結合された際に図１４に示すようにフロントパネル１１に連設されているボトムパネル１３のリブ２４とリヤパネル１２のリブ３０との間に横方向または幅方向においてクリアランスｃを生ずる構造になっている。よって上ケース１４を上部から移動させてこの上ケース１４の先端側の折曲げ片３６をフロントパネル１１のリブ２４とリヤパネル１２のリブ３０との間の隙間を通ってボトムパネル１３の係合用段部２５に組合わせる構造になっている。ここで上ケース１４は装着後において上述の如く、その上面の凹部３７、３９内にそれぞれ形成されているねじ挿通孔３８、４０を挿通するねじ４３、４４で螺着して固定するようにしている。
【００２６】
ここでとくに上ケース１４の両側板の先端の折曲げ片３６と、フロントパネル１１のリブ１９間の幅ｅおよびリヤパネル１４のリブ３０間の幅ｈの関係から、上ケース１４を前後を逆向きに取付けできないようになっている。すなわち逆向きに取付けようとすると、上ケース１４の後端側の折曲げ片３６間の寸法Ｌｂがフロントパネル１１のリブ１９間の寸法ｅよりも広いものの、上ケース１４の前端側の寸法Ｌｆがリヤパネル１２のリブ３０間の幅ｈよりも狭いことから、上ケース１４を装着することができず、これによって逆装着が阻止される。
【００２７】
このために上ケース１４を逆向きで誤って装着しようとした場合には、装着しようとした初期の段階ですぐに誤りを気付かせることが可能になる。従って装着後にそのことに気付く従来の方法に比べて上ケース１４を取外す工数がかからなくなる。
【００２８】
【発明の効果】
本願の一発明は、鏡筒が取付けられるフロントパネルと、フロントパネルに対して後方に取付けられるリヤパネルと、フロントパネルまたはリヤパネルに連設されているボトムパネルと、フロントパネルとリヤパネルとの間においてボトムパネル上に取付けられる上ケースと、を具備し、ボトムパネルが連設されているフロントパネルまたはリヤパネルが合成樹脂または金属成形体から成り、しかもボトムパネルはその横方向の両側にリブを備え、該リブの内側が傾斜して前後方向に沿って抜き勾配がついており、上ケースの横方向の両側の下端部のボトムパネルとの係合部の外側が前後方向に対して傾斜してボトムパネルの抜き勾配とほぼ同一の勾配を有し、リブの抜き勾配と整合するようにしたものである。
【００２９】
従ってこのような構成によれば、ボトムパネルの抜き勾配を利用して上ケースの誤装着防止機構とすることができ、これによって上ケースの逆向きの誤装着が防止される。
【００３０】
本願の別の発明は、鏡筒が取付けられるフロントパネルと、フロントパネルに対して後方に取付けられるリヤパネルと、フロントパネルまたはリヤパネルに連設されているボトムパネルと、フロントパネルとリヤパネルとの間においてボトムパネル上に取付けられる上ケースと、を具備し、上ケースの横方向の両側の下端部に設けられた係合部間の横方向の寸法が前端部と後端部とで異なるとともに、ボトムパネルの横方向の両側の被係合部間の横方向の寸法が上ケースの係合部と同じく前端部と後端部とで異なっており、上ケースをボトムパネルに対して前後方向を逆に組合わせることができないようにしたものである。
【００３１】
従ってこのようなカメラのキャビネットは、上ケースの係合部の寸法が前端部と後端部とで異なっており、前後方向を逆にして組合わせることができず、このために上ケースの装着の際に装着をしようとした初期の段階で早期にその誤りを気付かせることが可能になり、装着後に気付かせるようにする場合に比べて上ケースの取外しの工数がかからなくなる利点がある。
【図面の簡単な説明】
【図１】一実施の形態のＣＣＤビデオカメラのキャビネットの上ケースの装着を示す外観斜視図である。
【図２】同キャビネットの分解斜視図である。
【図３】フロントパネルの平断面図である。
【図４】フロントパネルの縦断面図である。
【図５】フロントパネルの背面図である。
【図６】リヤパネルの正面図である。
【図７】リヤパネルの底面図である。
【図８】上ケースの平面図である。
【図９】上ケースの正面図である。
【図１０】上ケースの底面図である。
【図１１】上ケースの縦断面図である。
【図１２】組立てられた状態のキャビネットの平断面図である。
【図１３】組立てられた状態のキャビネットの縦断面図である。
【図１４】組立てられた状態のキャビネットの正断面図である。
【図１５】従来のＣＣＤビデオカメラのキャビネットの外観斜視図である。
【符号の説明】
１‥‥フロントパネル、２‥‥リヤパネル、３‥‥上カバー、４‥‥固定用ねじ（側面）、５‥‥固定用ねじ（上面）、１１‥‥フロントパネル、１２‥‥リヤパネル、１３‥‥ボトムパネル、１４‥‥上ケース、１５‥‥鏡筒、１９‥‥係合用リブ、２０‥‥突片、２１‥‥ねじ孔、２４‥‥リブ、２５‥‥係合用段部、２９‥‥凹部、３０‥‥係合用リブ、３１‥‥突片、３２‥‥ねじ孔、３６‥‥折曲げ片、３７‥‥凹部、３８‥‥ねじ挿通孔、３９‥‥凹部、４０‥‥ねじ挿通孔、４３、４４‥‥ねじ
【図１】
0004296367.tif 000002
【図２】
0004296367.tif 000003
【図３】
0004296367.tif 000004
【図４】
0004296367.tif 000005
【図５】
0004296367.tif 000006
【図６】
0004296367.tif 000007
【図７】
0004296367.tif 000008
【図８】
0004296367.tif 000009
【図９】
0004296367.tif 000010
【図１０】
0004296367.tif 000011
【図１１】
0004296367.tif 000012
【図１２】
0004296367.tif 000013
【図１３】
0004296367.tif 000014
【図１４】
0004296367.tif 000015
【図１５】
0004296367.tif 000016